(57)【要約】【課題】燃料カットの実行に伴う車両のしゃくりを適切に抑えることのできる車両のトルク制御装置を提供する。【解決手段】この装置は、車両減速中に内燃機関を燃料カットに移行させるときに（ｔ１〜ｔ５）、機関トルクを漸減させる（ｔ２以降）。出力トルクの漸減を内燃機関の筒内吸気量が安定したときに開始するとともに（ｔ２）、出力トルクの漸減の実行を、内燃機関から車両の駆動輪までの動力伝達系の回転軸ねじり方向の振動についての固有周期ｆの整数倍の時間をかけて行う（ｔ２〜ｔ３，ｔ４〜ｔ５）。【選択図】図４
2014058953.tif 000002
【特許請求の範囲】
【請求項１】
車両減速中に車両駆動源としての内燃機関を燃料カットに移行させるときに、前記内燃機関の出力トルクを漸減させる車両のトルク制御装置において、
当該装置は、前記出力トルクの漸減を前記内燃機関の筒内吸気量が安定したときに開始するとともに、前記出力トルクの漸減の実行を、前記内燃機関から前記車両の駆動輪までの動力伝達系の回転軸ねじり方向の振動についての固有周期の整数倍の時間をかけて行う
ことを特徴とする車両のトルク制御装置。
【請求項２】
請求項１に記載の車両のトルク制御装置において、
当該装置は、
前記内燃機関のバルブオーバラップ量を変更する変更機構を有し、
前記バルブオーバラップ量が規定値未満のときに、前記筒内吸気量が安定したとして前記出力トルクの漸減を開始する
ことを特徴とする車両のトルク制御装置。
【請求項３】
請求項１に記載の車両のトルク制御装置において、
当該装置は、
前記内燃機関のバルブオーバラップ量を変更する変更機構と、前記内燃機関の吸気通路を通過する空気の量を検出するための検出部とを有し、
前記バルブオーバラップ量が規定値未満であり且つ前記検出部により検出される空気の量が減少傾向を示すときに、前記筒内吸気量が安定したとして前記出力トルクの漸減を開始する
ことを特徴とする車両のトルク制御装置。
【発明の詳細な説明】
【技術分野】
【０００１】
本発明は、内燃機関の燃料カットを行う車両に適用されるトルク制御装置に関し、詳しくは燃料カットへの移行に際しての車両のしゃくりの発生を抑制するための制御構造の改良に関するものである。
【背景技術】
【０００２】
車載内燃機関では、燃費向上のため、車両減速時に内燃機関への燃料供給を停止する燃料カットが行われる。燃料カットへの移行に際しては、それまで存在していた内燃機関の出力トルクが急に失われるため、「しゃくり」と呼ばれる車両前後方向の繰り返し振動が発生する。そこで従来、例えば特許文献１に見られるように、燃料カットへの移行時に、内燃機関の点火時期を徐々に遅角して出力トルクを漸減することで、しゃくりの発生を抑えることがなされている。
【先行技術文献】
【特許文献】
【０００３】
【特許文献１】特開平１０−３０４７７号公報
【発明の概要】
【発明が解決しようとする課題】
【０００４】
車両が減速されると、車両駆動源としての内燃機関の運転状態が急変するため、吸入空気量の変動を招き易い不安定な状況になる。そのため、このとき単に内燃機関の出力トルクを漸減させるためのトルク低減制御を実行したとしても、出力トルクを適正に調節することは困難であると云える。そして、こうした場合には車両のしゃくりを適切に抑えることができなくなるおそれがある。
【０００５】
本発明は、そうした実情に鑑みてなされたものであり、その目的は、燃料カットの実行に伴う車両のしゃくりを適切に抑えることのできる車両のトルク制御装置を提供することにある。
【課題を解決するための手段】
【０００６】
（発明の解決原理）
内燃機関を駆動源として備える車両では、その減速時に内燃機関の燃料カットが行われる。こうした車両では、内燃機関の燃料カットへの移行時に、同内燃機関・駆動輪間の動力伝達を担う動力伝達系に内燃機関から伝達されるトルク、すなわち内燃機関の出力トルクを漸減することで、燃料カットに伴うトルク段差に起因した車両のしゃくりの発生を抑制することができる。
【０００７】
このときの内燃機関の出力トルクの漸減を一定の速度で行ったとすると、内燃機関から動力伝達系へのトルクの入力は、図１の（ａ）に示す態様で推移する。このトルクの入力は、同図（ｂ）に示すような単パルスのノコギリ波入力と、同図（ｃ）に示すようなステップ入力とを重ね合わせたものと見做すことができる。
【０００８】
ここで、内燃機関の出力トルクの漸減期間ｄｔを、動力伝達系の回転軸ねじり方向の振動についての固有周期の整数倍とすると、同図（ｂ）の単パルスのノコギリ歯入力に対する応答は、同図（ｅ）に示す通りとなる。一方、このときの同図（ｃ）のステップ入力に対する応答は、同図（ｆ）に示す通りとなる。すなわち、このときには、内燃機関の出力トルクの漸減が終了した後の、単パルスのノコギリ歯入力に対する同図（ｅ）の応答とステップ入力に対する同図（ｆ）の応答とがちょうど逆位相となる。そして同図（ａ）の入力に対する応答は、同図（ｄ）に示すような、同図（ｅ）、（ｆ）の応答を重ね合わせたものとなる。すなわち、このときの同図（ａ）の入力に対する応答は、同図（ｅ）、（ｆ）の応答が互いに打ち消し合うことで、出力トルク漸減後のトルク変動が抑えられたものとなる。したがって、駆動源の出力トルクの漸減期間ｄｔが動力伝達系の回転軸ねじり方向の振動についての固有周期の整数倍となっていれば、車両のしゃくりを効果的に抑えることができる。
【０００９】
（課題を解決するための手段及びその作用効果）
上記課題を解決するため、請求項１に記載のトルク制御装置は、車両減速中に車両駆動源としての内燃機関を燃料カットに移行させるときに、前記内燃機関の出力トルクを漸減させる車両のトルク制御装置において、前記出力トルクの漸減を前記内燃機関の筒内吸気量が安定したときに開始するとともに、前記出力トルクの漸減の実行を、前記内燃機関から前記車両の駆動輪までの動力伝達系の回転軸ねじり方向の振動についての固有周期の整数倍の時間をかけて行うことをその要旨としている。
【００１０】
上記装置では、車両減速時における内燃機関の燃料カットへの移行時に同内燃機関の出力トルクを漸減させている。そして、このときの出力トルクの漸減の実行を、動力伝達系の回転軸ねじり方向の振動についての固有周期の整数倍の時間をかけて行うようにしている。このようにして出力トルクの漸減を行うことにより、単に出力トルクを漸減させる装置と比較して、内燃機関の燃料カットへの移行に伴い発生する動力伝達系のねじり振動を効果的に抑制することができる。
【００１１】
しかも上記装置では、そうした内燃機関の出力トルクの漸減を、同内燃機関の筒内吸気量が安定したときに開始させている。これにより、車両の減速開始直後の筒内吸気量が特に不安定なときに内燃機関の出力トルクの漸減が行われなくなり、筒内吸気量の不要な変化が抑えられる状況下で同出力トルクの漸減を行うことができるため、筒内吸気量の不要な変化に起因する内燃機関の出力トルクの不要な変動を抑えることができる。そのため、予め想定した態様で変化するように内燃機関の出力トルクを精度良く調節することができ、動力伝達系のねじり振動の抑制のための上記出力トルクの漸減を適切に実行することができる。
【００１２】
したがって上記構成によれば、燃料カットの実行に伴う車両のしゃくりを適切に抑えることができる。
内燃機関のバルブオーバラップ量を変更する変更機構が設けられた装置では、車両減速中における内燃機関の燃料カットへの移行時において、バルブオーバラップ量が比較的大きい量から小さい量に変更される。そして、バルブオーバラップ量が機関運転状態に見合う量まで縮小する過程において、筒内吸気量の不要な変動を招き易い機関運転状態になる。そのため、内燃機関の燃料カットへの移行時においてバルブオーバラップ量が小さくなったことにより、筒内吸気量の不要な変化を招き易い機関運転状態でなくなったことを判断することができる。
【００１３】
請求項２に記載のトルク制御装置では、請求項１に記載の車両のトルク制御装置において、当該装置は、前記内燃機関のバルブオーバラップ量を変更する変更機構を有し、前記バルブオーバラップ量が規定値未満のときに、前記筒内吸気量が安定したとして前記出力トルクの漸減を開始することをその要旨としている。
【００１４】
こうした装置によれば、筒内吸気量の不要な変化を招き易い機関運転状態であるときに内燃機関の出力トルクの漸減が開始されることを抑えることができるため、同出力トルクを好適に調節して漸減させることができる。
【００１５】
バルブオーバラップ量が大きいときには、内燃機関の気筒内から吸気通路に逆流するガスの量、いわゆる吹き返し量が多い。そのため、内燃機関の燃料カットへの移行に際してバルブオーバラップ量が急速に縮小すると、吹き返し量が急速に減少するため、これに起因して吸気圧力の一時的な低下を招くといった不安定な機関運転状態になることがある。
【００１６】
このときには、吸気圧力の一時的な低下に伴い吸気通路の外部から内部に吸入される空気の量が一時的に多くなる。そのため、吸気通路内を通過する空気の量（通路吸気量）を検出するための検出部が設けられた装置では、検出部により検出される通路吸気量が一時的に増加していることにより、そうした不安定な機関運転状態であることを把握することができる。
【００１７】
請求項３に記載のトルク制御装置では、請求項１に記載の車両のトルク制御装置において、当該装置は、前記内燃機関のバルブオーバラップ量を変更する変更機構と、前記内燃機関の吸気通路を通過する空気の量を検出するための検出部とを有し、前記バルブオーバラップ量が規定値未満であり且つ前記検出部により検出される空気の量が減少傾向を示すときに、前記筒内吸気量が安定したとして前記出力トルクの漸減を開始することをその要旨としている。
【００１８】
上記装置によれば、検出部により検出される通路吸気量の増加時に内燃機関の出力トルクの漸減が開始されるといった状況になることを抑えることができる。そのため、筒内吸気量の不要な変化を招き易い機関運転状態のときに内燃機関の出力トルクの漸減が開始されることを的確に抑えることができる。
【図面の簡単な説明】
【００１９】
【図１】（ａ）〜（ｆ）トルク漸減制御時の動力伝達系のトルクの入力とそれに対する応答を示すグラフ。
【図２】本発明の車両のトルク制御装置を具体化した一実施の形態が適用される車両の駆動系の構成を模式的に示す略図。
【図３】同実施の形態が適用される車両の内燃機関及びその周辺機器の構成を模式的に示す略図。
【図４】（ａ）〜（ｄ）同実施の形態の燃料カット移行時の制御態様の一例を示すタイムチャート。
【図５】（ａ）〜（ｃ）駆動状態から被駆動状態への切り換わりに際してのリダクションギアの状態の変化を示す図。
【図６】同実施の形態に適用される燃料カット移行制御ルーチンの処理手順を示すフローチャート。
【図７】リダクションギアを中心とした駆動系のモデルを示す図。
【図８】他の実施の形態に適用される燃料カット移行制御ルーチンの処理手順を示すフローチャート。
【図９】その他の実施の形態に適用される燃料カット移行制御ルーチンの処理手順を示すフローチャート。
【発明を実施するための形態】
【００２０】
以下、本発明の車両のトルク制御装置を具体化した一実施の形態について説明する。
ここでは先ず、図２を参照して、本実施の形態の適用される車両の駆動系の構成を説明する。なお、本実施の形態のトルク制御装置は、ベルト式の無段変速機を備えるとともに、その無段変速機の手前にリダクションギアが設けられたインプットリダクンション方式のギアトレーン構造を採用する車両に適用されている。
【００２１】
図２に示すように、本実施の形態のトルク制御装置の適用される車両の駆動系には、内燃機関１が車両駆動源として設けられている。この内燃機関１には、オイルポンプやオルタネーター、Ａ／Ｃコンプレッサー等の補機１ａが設けられ、これら補機１ａは、内燃機関１の出力軸であるクランクシャフト２により駆動されている。
【００２２】
また、クランクシャフト２は、トルク増幅作用を有した流体継ぎ手であるトルクコンバーター３、及び内燃機関１側から入力された回転を減速するリダクションギア４を介して無段変速機５に接続されている。無段変速機５は、内燃機関１側に設けられたドライブプーリー６と、駆動輪側に設けられたドリブンプーリー７との２つの可変径プーリーと、それらにそれぞれ巻き掛けられたベルト８とを備えている。そして無段変速機５は、両プーリー（６，７）のベルト巻き掛け半径を変更することで、変速比を連続的に変更するよう構成されている。
【００２３】
無段変速機５のドリブンプーリー７は、Ｄｅｆ（ディファレンシャル）ドライブギア９及びＤｅｆリングギア１０からなるギア対を介して、駆動輪１１のドライブシャフト１２に接続されている。また、ドライブシャフト１２には、左右の駆動輪１１の差動を許容するディファレンシャル１３が設けられている。
【００２４】
なお、こうした車両では、トルクコンバーター３、リダクションギア４、無段変速機５、Ｄｅｆドライブギア９、Ｄｅｆリングギア１０、ドライブシャフト１２により、内燃機関１、駆動輪１１間の動力伝達を担う動力伝達系が構成されている。
【００２５】
次に、図３を参照して、内燃機関１及びその周辺機器の構成を説明する。
同図３に示すように、内燃機関１の気筒２０には吸気通路２１を通じて空気が吸入されるとともに、燃料噴射弁２２から噴射された燃料が供給される。そして、気筒２０内の吸入空気と噴射燃料とからなる混合気に対して点火プラグ２３による火花放電を通じて点火が行われると、その混合気が燃焼してピストン２４が往復移動することによってクランクシャフト２が回転する。燃焼後の混合気は排気として内燃機関１の気筒２０から排気通路２５に送り出される。また内燃機関１には、吸気バルブ２６の開閉時期（いわゆるバルブタイミング）を変更するためのバルブタイミング変更機構２７が設けられている。なお本実施の形態では、バルブタイミング変更機構２７が、内燃機関１のバルブオーバラップ量を変更する変更機構として機能する。
【００２６】
車両には、その運転状態を検出するための各種センサが設けられている。そうしたセンサとしては、例えば吸気通路２１のスロットルバルブ２８より上流側に取り付けられて同吸気通路２１内を通過する空気の量（通路吸気量）を検出するためのエアフロメータ３０や、クランクシャフト２の回転速度（機関回転速度）を検出するための回転速度センサ３１が設けられている。その他、吸気バルブ２６のバルブタイミングＶＴを検出するための位置センサ３２や、アクセルペダル１４の操作量（アクセル操作量）を検出するためのアクセルセンサ３３、車両の走行速度（車速）を検出するための速度センサ３４なども設けられている。
【００２７】
こうした車両において内燃機関１は、電子制御ユニット３５により制御される。電子制御ユニット３５には、各種センサの検出信号が入力されている。そして電子制御ユニット３５は、それら検出信号から把握される車両の走行状況に応じて、燃料噴射弁２２の作動制御（燃料噴射制御）や、点火プラグ２３の作動制御（点火時期制御）、バルブタイミング変更機構２７の作動制御（バルブタイミング制御）、スロットルバルブ２８の作動制御（スロットル制御）などの機関制御を行う。
【００２８】
電子制御ユニット３５は、機関制御の一環として、車両の減速時に内燃機関１への燃料供給を停止する燃料カットを行っている。また、電子制御ユニット３５は、燃料カットへの移行に際して、内燃機関１の出力トルク（機関トルク）を徐々に減少させるトルク漸減制御を行っている。本実施の形態では、内燃機関１の点火時期を徐々に遅角して行き、内燃機関１の運転を継続可能な限界まで点火時期が遅角された時点で内燃機関１への燃料供給を停止するといったように、機関トルクの漸減を行うようにしている。
【００２９】
図４に示すように、本実施の形態での燃料カット移行時におけるトルク漸減制御は、次の４つの段階に分けて行われる。すなわち、トルク漸減制御は、機関トルクの漸減を開始する前の第１段階、機関トルクの漸減の開始から駆動状態が被駆動状態に切り換わる直前までの第２段階、被駆動状態に切り換わる直前からその直後までの第３段階、及び被駆動状態に切り換わった直後から機関トルクの漸減の終了までの第４段階の４つの段階を通じて行われる。なお、上記「駆動状態」は内燃機関１の出力で駆動輪１１が回転される状態のことであり、「被駆動状態」は駆動輪１１の回転トルクで内燃機関１のクランクシャフト２が回転される状態のことである。また、図４（ａ）は、このときのアクセル操作量の推移を、図４（ｂ）はバルブオーバラップ量の推移を、図４（ｃ）は機関トルクの推移を、図４（ｄ）は燃料カットフラグの推移をそれぞれ示している。
【００３０】
図４では、時刻ｔ１から時刻ｔ２までの期間が、トルク漸減制御の第１段階となっている。時刻ｔ１は燃料カットの実施条件が成立した時点を、時刻ｔ２は内燃機関１の気筒２０内に吸入される空気の量（筒内吸気量）が安定したと判定された時点をそれぞれ指している。この第１段階では、燃料カットの実施条件が成立してから内燃機関１の筒内吸気量が安定するまでの間、第２段階への移行、すなわち機関トルクを漸減させる処理の実行開始が遅延される。以下、第１段階において機関トルクの漸減の開始を遅延させることによる作用について説明する。
【００３１】
先ず、アクセルペダル１４の踏み込みの解除などを通じて車両が減速されると、スロットル制御を通じてスロットルバルブ２８の開度が小さい開度に変更されるとともに、バルブタイミング制御を通じてバルブオーバラップ量が小さくなるように吸気バルブ２６のバルブタイミングが遅角側のタイミングに変更される。
【００３２】
ここで、バルブオーバラップ量が大きいときには、同内燃機関１の気筒２０内から吸気通路２１に逆流するガスの量、いわゆる吹き返し量が多い。そのため、車両の減速に際して内燃機関１を燃料カットに移行させるときにバルブオーバラップ量が急速に縮小すると、吹き返し量が急速に減少するようになる。このとき、車両の減速中であるのにもかかわらず内燃機関１の筒内吸気量の若干の増加を招いてしまうなど、筒内吸気量の不要な変化を招き易い状況になる。このように筒内吸気量が不要に変化する状況において、点火時期制御による点火時期の遅角を通じて機関トルクを予め定めた態様で徐々に低下させることは、困難であると云える。
【００３３】
また、バルブオーバラップ量の縮小に伴って吹き返し量が減少すると、吸気通路２１内におけるスロットルバルブ２８より下流側の部分の圧力（いわゆる吸気圧力）が一時的に低下するため、同吸気通路２１の外部から内部に吸入される空気の量が一時的に増加する。そして、これに伴ってエアフロメータ３０によって検出される通路吸気量も一時的に増加するようになる。
【００３４】
本実施の形態では、エアフロメータ３０により検出される通路吸気量に基づいて内燃機関１の筒内吸気量を推定し、その推定した筒内吸気量に応じたかたちで機関制御が実行される。そのため、バルブオーバラップ量の縮小に起因して上記通路吸気量が不要に変化する状況においては、機関制御の実行精度の低下を招き易い。こうしたことからも、内燃機関１の燃料カットへの移行時に、点火時期制御を通じて機関トルクを予め定めた態様で徐々に低下させることは困難であると云える。
【００３５】
このように本実施の形態の装置では、車両減速中に内燃機関１を燃料カットに移行させるときに、バルブオーバラップ量が機関運転状態に見合う量まで縮小する過程において、筒内吸気量の不要な変動を招き易い機関運転状態になる。そのため、内燃機関１の燃料カットへの移行時にバルブオーバラップ量が小さくなったことをもって、筒内吸気量の不要な変化を招き易い機関運転状態でなくなったと判断することができる。
【００３６】
この点をふまえて本実施の形態の装置では、バルブオーバラップ量が規定値Ａ１未満になったときに、筒内吸気量が安定したと判定するようにしている。そして、燃料カットの実施条件が成立してから内燃機関１の筒内吸気量が安定したと判定されるまでの期間がトルク漸減制御の第１段階とされる。なお本実施の形態では、各種の実験やシミュレーションの結果に基づいて内燃機関１の筒内吸気量が安定したことを的確に判断可能なバルブオーバラップ量が予め求められ、同バルブオーバラップ量に相当する値が上記規定値Ａ１（例えばクランク角［°ＣＡ］で数°ＣＡに相当する量）として電子制御ユニット３５に記憶されている。
【００３７】
これにより、バルブオーバラップ量が規定値Ａ１未満のときに内燃機関１の筒内吸気量が安定したとして、第２段階に移行して機関トルクの漸減が開始されるようになる。そのため、車両の減速開始直後の上記バルブオーバラップ量の縮小によって筒内吸気量が特に不安定になる状況下では機関トルクの漸減が行われなくなり、筒内吸気量の不要な変化が抑えられる状況下で機関トルクの漸減が行われるようになるため、筒内吸気量の不要な変化に起因する機関トルクの不要な変動が抑えられるようになる。したがって、トルク漸減制御を通じて、予め想定した態様で減少するように機関トルクを精度良く調節することができ、動力伝達系のねじり振動の抑制のための上記機関トルクの漸減を適切に実行することができる。
【００３８】
また図４では、時刻ｔ２から時刻ｔ３までの期間が、トルク漸減制御の第２段階となっている。時刻ｔ３は、車両の動力伝達状態が駆動状態から被駆動状態に切り換わる直前の時刻を指している。ここでは、上記被駆動状態に切り換わる直前を、被駆動状態に切り換わるときの機関トルクの推定値である推定切換トルクTQconよりも規定の定数α分高いトルクまで機関トルクが低下した時点と定義している。推定切換トルクTQconの推定ロジックについては後述する。また、定数αは、車両の個体差や経時変化に拘らず、上記切換時の機関トルクが「TQcon±α」の範囲内に確実に収まるようにその値が設定されている。この第２段階には、一定の速度で機関トルクの漸減が行われる。本実施の形態では、こうした第２段階を、動力伝達系の回転軸ねじり方向の振動についての固有周期ｆの整数倍の時間をかけて行うようにしている。
【００３９】
更に図４では、時刻ｔ３から時刻ｔ４までの期間が、トルク漸減制御の第３段階となっている。時刻ｔ４は、車両の動力伝達状態が駆動状態から被駆動状態に切り換わった直後の時刻を指している。ここでは、上記被駆動状態に切り換わる直後を、上記推定切換トルクTQconよりも規定の定数α分低いトルクまで機関トルクが低下した時点と定義している。この第３段階では、上記第２段階及び後述の第４段階よりも低い速度で機関トルクの漸減が行われる。
【００４０】
また図４では、時刻ｔ４から時刻ｔ５までの期間が、トルク漸減制御の第４段階となっている。時刻ｔ５は、機関トルクがトルク漸減制御の終了時の機関トルクまで低下した時点となっている。ここでは、点火時期の遅角により低下可能な機関トルクの最小値を、トルク漸減制御終了時の機関トルクとしている。この第４段階では、一定の速度で機関トルクの漸減が行われる。本実施の形態では、こうした第４段階を、動力伝達系の回転軸ねじり方向の振動についての固有周期ｆの整数倍の時間をかけて行うようにしている。
【００４１】
こうした本実施の形態では、トルク漸減制御の第２段階及び第４段階が、すなわち漸減開始から上記被駆動状態に切り換わる直前までの期間、及び上記被駆動状態に切り換わる直後から漸減終了までの期間における機関トルクの漸減の実行がそれぞれ、上記固有周期ｆの整数倍の時間をかけて行われる。前述したように、内燃機関１から動力伝達系に伝達されるトルク（機関トルク）の漸減期間を上記固有周期ｆの整数倍とすると、単に機関トルクを漸減する装置と比較して、内燃機関１の燃料カットへの移行に伴い発生する動力伝達系のねじり振動が、ひいては車両のしゃくりの発生が効果的に抑制されるようになる。
【００４２】
燃料カットへの移行時には、内燃機関１から動力伝達系に伝達されるトルクと、駆動輪１１から動力伝達系に伝達されるトルクとの大小関係が逆転する。そしてその結果、機関トルクにより駆動輪１１が回転される駆動状態から、駆動輪１１の回転トルクによりクランクシャフト２が回転される被駆動状態への切り換わりが生じる。
【００４３】
ここで、動力伝達系に設けられたリダクションギア４の状態の、上記切り換わり時における変化を、図５（ａ）〜（ｃ）を参照して説明する。なお、同図（ａ）〜（ｃ）では、リダクションギア４を構成する内燃機関１側のギアＧｅの車両前進走行時の回転方向を時計回り方向とし、駆動輪１１側のギアＧｔの車両前進走行時の回転方向を反時計回り方向としている。
【００４４】
同図（ａ）に示すように、駆動状態から被駆動状態に切り換わる直前においては、内燃機関１からギアＧｅに伝達される図中時計回り方向のトルクＴｅが、駆動輪１１からギアＧｔに伝達される図中反時計回り方向のトルクＴｗを上回っている。そして、内燃機関１側のギアＧｅのギア歯の図中時計回り方向の側面が、駆動輪１１側のギアＧｔのギア歯の図中反時計回り方向の側面を押圧することで、内燃機関１から駆動輪１１へとトルクが伝達されている。
【００４５】
その後、機関トルクが低下すると、内燃機関１からギアＧｅに伝達される図中時計回り方向のトルクＴｅと、駆動輪１１からギアＧｔに伝達される図中反時計回り方向のトルクＴｗとが釣り合うようになる。そして、同図（ｂ）に示すように、ギアＧｅの歯によるギアＧｔの歯への押圧が解除され、内燃機関１と駆動輪１１との間にトルクの伝達が無い状態となる。
【００４６】
更に機関トルクが低下されると、同図（ｃ）に示すように、駆動輪１１からギアＧｔに伝達される図中反時計回り方向のトルクＴｗが、内燃機関１からギアＧｅに伝達される図中時計回り方向のトルクＴｅを上回る。そして、駆動輪１１側のギアＧｔのギア歯の図中時計回り方向の側面が、内燃機関１側のギアＧｅのギア歯の図中反時計回り方向の側面を押圧することで、駆動輪１１から内燃機関１へとトルクが伝達されるようになる。
【００４７】
したがって、リダクションギア４では、ギア歯の噛み合いのバックラッシのため、駆動状態から被駆動状態への切り換わり時に歯打ちが発生する。そしてこの歯打ちが、燃料カット移行時のトルクショックの原因となっている。
【００４８】
こうしたギアの歯打ちによるショックを抑えるには、駆動状態から被駆動状態への切り換わり時における機関トルクの漸減速度を十分に低くする必要がある。しかしながら、燃料カット移行時における機関トルクの漸減期間のすべてにおいて、ショックの抑制に必要な速度で機関トルクの漸減を行えば、機関トルクの低減に時間がかかり、燃料カットへの移行が遅れてしまうようになる。
【００４９】
この点をふまえて本実施の形態では、トルク漸減制御の第３段階、すなわち上記被駆動状態に切り換わる直前からその直後までの期間において、トルク漸減制御の第２段階及び第４段階よりも低い速度で機関トルクの漸減が行われる。そのため、被駆動状態に切り換わる直前からその直後までの期間は、リダクションギア４の歯打ちによるショックを十分に抑制できるだけの低い速度で機関トルクの漸減を行いつつも、それ以外の期間には、比較的高い速度で機関トルクの漸減が行われるようになる。そのため、駆動状態から被駆動状態への切り換わりに伴うリダクションギア４の歯打ちによるショックを抑制しつつも、燃料カット移行時における機関トルクの漸減の実行期間の長期化が抑えられるようになる。
【００５０】
なお、こうした本実施の形態での内燃機関１の燃料カットへの移行は、図６に示す燃料カット移行制御ルーチンの処理を通じて行われる。なお、同図のフローチャートに示す一連の処理は、燃料カット移行制御ルーチンの実行手順を概念的に示したものであり、実際の処理は所定周期毎の割り込み処理として電子制御ユニット３５により実行される。
【００５１】
図６に示すように、本ルーチンの処理が開始されると、まずステップＳ１００において、燃料カットの実施条件が成立しているか否かが判定される。本実施の形態では、アクセル操作量が「０」かつ機関回転速度が一定値以上であることが、燃料カットの実施条件として設定されている。ここで燃料カットの実施条件が不成立であれば（Ｓ１００：ＮＯ）、そのまま本ルーチンの処理が終了され、成立していれば（Ｓ１００：ＹＥＳ）、ステップＳ１０１に処理が移行される。
【００５２】
ステップＳ１０１に処理が移行されると、そのステップＳ１０１において、内燃機関１のバルブオーバラップ量が規定値Ａ１未満であるか否かが判定される。なお本実施の形態では、位置センサ３２により検出されるバルブタイミングに基づいて内燃機関１のバルブオーバラップ量が算出されて、ステップＳ１０１の処理に用いられる。
【００５３】
その後、内燃機関１のバルブオーバラップ量が規定値Ａ１未満になると（Ｓ１０２：ＹＥＳ）、処理がステップＳ１０３に移行される。ステップＳ１０３に処理が移行されると、そのステップＳ１０３において、上述の推定切換トルクTQconの算出が行われる。この推定切換トルクTQconの算出ロジックについては後述する。
【００５４】
推定切換トルクTQconが算出されると、続くステップＳ１０４において、トルク漸減制御の第２段階における機関トルクの漸減速度Vraが算出される。ここでの漸減速度Vraの算出は、下式（１）により行われる。下式（１）において「TQnow」は現在の機関トルクを、「n」は規定の整数を、「f」は動力伝達系の回転軸ねじり方向の振動についての固有周期ｆを、それぞれ指している。
【００５５】
【数１】
2014058953.tif 000003
こうして漸減速度Vraが算出されると、続くステップＳ１０５において、その算出した漸減速度Vraでの機関トルクの漸減が開始される。この漸減速度Vraでの機関トルクの漸減は、機関トルクTQnowが「TQcon＋α」に減少されるまで継続される。なお、こうした漸減速度Vraでの機関トルクの漸減が行われる期間が、上記トルク漸減制御の第２段階となっている。
【００５６】
機関トルクTQnowが「TQcon＋α」まで減少されると（Ｓ１０６：ＹＥＳ）、ステップＳ１０７において、機関トルクの漸減速度が低下される。このときの漸減速度は、後述する駆動状態／被駆動状態の切換時におけるリダクションギア４の歯打ちによるショックを確実に抑制可能な速度まで低下される。この低下された漸減速度での機関トルクの漸減の実行は、機関トルクTQnowが「TQcon−α」に低下されるまで継続される。なお、このときの低下された漸減速度による機関トルクの漸減が行われる期間が、上記トルク漸減制御の第３段階となっている。
【００５７】
機関トルクTQnowが「TQcon−α」まで低下されると（Ｓ１０８：ＹＥＳ）、続くステップＳ１０９において、トルク漸減制御の第４段階における機関トルクの漸減速度Vrbが算出される。ここでの漸減速度Vrbの算出は、下式（２）により行われる。下式（２）において「TQfin」はトルク漸減制御終了時の機関トルクを、「m」は規定の整数をそれぞれ指している。なお、本実施の形態では、トルク漸減制御終了時の機関トルクTQfinの値には、点火時期の遅角により低減可能な機関トルクの最小値が設定されている。
【００５８】
【数２】
2014058953.tif 000004
こうして漸減速度Vrbが算出されると、続くステップＳ１１０において、その算出した漸減速度Vrbでの機関トルクの漸減が開始される。この漸減速度Vrbでの機関トルクの漸減の実行は、機関トルクTQnowが「TQfin」に減少されるまで継続される。なお、こうした漸減速度Vrbでの機関トルクの漸減が行われる期間が、上記トルク漸減制御の第４段階となっている。
【００５９】
機関トルクTQnowが「TQfin」まで低下されると（Ｓ１１１：ＹＥＳ）、続くステップＳ１１２において、機関トルクの漸減が終了される。そしてステップＳ１１３において内燃機関１への燃料供給が停止され、ステップＳ１１４において燃料カットフラグがオンにセットされた後、本ルーチンの処理が終了される。
【００６０】
次に、本実施の形態での推定切換トルクTQconの算出ロジックを説明する。
図７は、リダクションギア４を中心として車両の駆動系を模式化したモデルを示している。同図の「Iin」は、リダクションギア４の内燃機関１側における駆動系のイナーシャ
ーを、「Tin」は、リダクションギア４の内燃機関１側のギア（ドライブギアＧｅ）に入
力されるトルクを、「αin」は、ドライブギアＧｅの角加速度を表している。また同図の「Iout」は、リダクションギア４の駆動輪１１側における駆動系のイナーシャーを、「Tout」は、リダクションギア４の駆動輪１１側のギア（ドリブンギアＧｔ）に入力されるトルクを、「αout」は、ドリブンギアＧｔの角加速度を表している。こうしたモデルでのねじりの関係式は、下式（３）、（４）の通りとなる。なお、イナーシャーIin、Ioutは、リダクションギア４を中心とした等価慣性計算で求めることができる。
【００６１】
【数３】
2014058953.tif 000005
ここでトルクTinは、下式（５）にて表される。下式（５）において、「TQeng」は、内燃機関１の発生トルクを、「TQac」は、Ａ／Ｃコンプレッサーの駆動トルクを、「TQalt」は、オルタネーターの駆動トルクを、「TQop」は、オイルポンプの駆動トルクを、「FRcold」は、冷間時におけるフリクショントルクの増加分を示している。また「TRQIin」は、無段変速機５の変速時のドライブプーリー６の変速動作（ベルト巻き掛け半径の変更）に費やされるトルクを、「TRQIout」は、無段変速機５の変速時のドリブンプーリー７の変速動作（ベルト巻き掛け半径の変更）に費やされるトルクをそれぞれ示している。更に「KETT」は、無段変速機５の伝達効率を、「RATIO」は、無段変速機５の変速比をそれぞれ示している。なお、伝達効率KETTの値は、無段変速機５の伝達効率が一定であれば定数となるが、その伝達効率が変速比によって変化する場合には、その値は、変速比に応じた変数となる。
【００６２】
【数４】
2014058953.tif 000006
一方、トルクToutは、下式（６）にて表される。下式（６）において、「Fr/l」は、道路負荷（Road Load）を、「Fslope」は、路面の勾配により駆動輪１１が受ける抗力を、「Rtire」は、駆動輪１１の半径を、「ρdef」は、ディファレンシャル１３のギア比をそれぞれ示している。
【００６３】
【数５】
2014058953.tif 000007
ここで、駆動状態から被駆動状態への切り換わり時には、リダクションギア４のドライブギアＧｅ及びドリブンギアＧｔの歯面速度が等しくなる。リダクションギア４のギア比をρredとすると、このときのドライブギアＧｅ及びドリブンギアＧｔの角加速度αin、
αoutの関係は、下式（７）に示す通りとなり、この関係から下式（８）が得られる。な
お、下式（８）は、トルクToutをイナーシャーIoutで除算した値と、トルクTinをイナーシャーIinで除算した値との比が、リダクションギア４の減速比ρredと一致することを示している。
【００６４】
【数６】
2014058953.tif 000008
そして、上式（５）及び（８）から、駆動状態から被駆動状態への切り換わり時の機関トルクは、すなわち推定切換トルクTQconは、下式（９）に示す通りとなる。
【００６５】
【数７】
2014058953.tif 000009
以上説明したように、本実施の形態によれば、以下に記載する効果が得られるようになる。
【００６６】
（１）内燃機関１の筒内吸気量が安定したときに機関トルクの漸減を開始するようにしたため、動力伝達系のねじり振動の抑制のための上記機関トルクの漸減を適切に実行することができる。しかも、トルク漸減制御の第２段階及び第４段階における機関トルクの漸減の実行を内燃機関１から車両の駆動輪１１までの動力伝達系の回転軸ねじり方向の振動についての固有周期ｆの整数倍の時間をかけて行うようにしたため、内燃機関１の燃料カットへの移行に伴い発生する動力伝達系のねじり振動を効果的に抑制することができる。したがって、燃料カットの実行に伴う車両のしゃくりを適切に抑えることができる。
【００６７】
（２）バルブオーバラップ量が規定値Ａ１未満のときに、内燃機関１の筒内吸気量が安定したとして機関トルクの漸減を開始するようにした。これにより、筒内吸気量の不要な変化を招き易い機関運転状態であるときに機関トルクの漸減が開始されることを抑えることができるため、機関トルクを好適に調節して漸減させることができる。
【００６８】
なお、上記実施の形態は、以下のように変更して実施してもよい。
・上記実施の形態では、燃料カット移行制御ルーチンのステップＳ１０２において、内燃機関１のバルブオーバラップ量が規定値Ａ１未満であるか否かが判定したが、吸気バルブ２６のバルブタイミングが規定時期より遅角側の時期であるか否かを判定するようにしてもよい。こうした装置によっても、吸気バルブ２６のバルブタイミングが規定時期より遅角側の時期であるときに、バルブオーバラップ量が十分に小さくなったと判定することができ、筒内吸気量の不要な変化を招き易い機関運転状態でなくなったことを判断することができる。
【００６９】
・上記実施の形態にかかるトルク制御装置は、吸気バルブ２６のバルブタイミングを変更するバルブタイミング変更機構２７に加えて、排気バルブのバルブタイミングを変更するバルブタイミング変更機構が設けられた装置にも、その構成を適宜変更した上で適用することができる。こうした装置では、バルブオーバラップ量を、吸気バルブのバルブタイミングと排気バルブのバルブタイミングとから算出して燃料カット移行制御ルーチンのステップＳ１０２（図６）において用いればよい。
【００７０】
・機関トルクの漸減の開始条件として、バルブオーバラップ量が規定値Ａ１未満であることといった条件に加えて、エアフロメータ３０により検出される通路吸気量が減少傾向を示すことといった条件を設定するようにしてもよい。この装置では、エアフロメータ３０が内燃機関の吸気通路を通過する空気の量を検出するための検出部として機能する。
【００７１】
前述したように、内燃機関１の燃料カットへの移行に際して筒内吸気量の不要な変化を招き易い機関運転状態になるときには、エアフロメータ３０により検出される通路吸気量が一時的に増加するようになる。そのため、エアフロメータ３０により検出される通路吸気量が一時的に増加していることにより、そうした不安定な機関運転状態であることを把握することができる。上記装置では、機関トルクの漸減の開始条件として、エアフロメータ３０により検出される通路吸気量が減少傾向を示すことといった条件が設定される。そのため、エアフロメータ３０により検出される通路吸気量の増加時に機関トルクの漸減が開始されるといった状況になることを抑えることができる。したがって、筒内吸気量が安定したことを的確に判定した上で、筒内吸気量の不要な変化を招き易い機関運転状態のときに機関トルクの漸減が開始されることを的確に抑えることができる。
【００７２】
図８に示す例では、燃料カットの実施条件が成立した後に（図６のＳ１０１：ＹＥＳ）、以下の［条件イ］及び［条件ロ］が共に満たされるか否かが判断される。
［条件イ］バルブオーバラップ量が規定値Ａ１未満であること（Ｓ１０２）。
［条件ロ］エアフロメータ３０により検出される通路吸気量が減少傾向を示していること（Ｓ２０１）。
【００７３】
そして、［条件イ］及び［条件ロ］の一方でも満たされないときには（Ｓ１０２：ＮＯ、またはＳ２０１：ＮＯ）、図６のステップＳ１０３に処理が移行されず、［条件イ］及び［条件ロ］が共に満たされると（Ｓ１０２：ＹＥＳ、且つＳ２０１：ＹＥＳ）、図６のステップＳ１０３に処理が移行される。
【００７４】
また図９に示す例では、燃料カットの実施条件が成立した後に（図６のＳ１０１：ＹＥＳ）、以下の［条件ハ］及び［条件ニ］の少なくとも一方が満たされるか否かが判断される。
［条件ハ］バルブオーバラップ量が規定値Ａ１未満であること（Ｓ１０２）。
［条件ニ］バルブオーバラップ量が規定値Ａ２（ただし、Ａ２＞Ａ１）未満であり、且つエアフロメータ３０により検出される通路吸気量が減少傾向を示していること（Ｓ３０１）。
【００７５】
そして、［条件ハ］及び［条件ニ］が共に満たされないときには（Ｓ３０１：ＮＯ、且つＳ３０２：ＮＯ）、図６のステップＳ１０３に処理が移行されず、［条件ハ］及び［条件ニ］の一方が満たされると（Ｓ１０２：ＹＥＳ、またはＳ３０１：ＹＥＳ）、図６のステップＳ１０３に処理が移行される。
【００７６】
なお、エアフロメータ３０により検出される通路吸気量が減少傾向を示すことは、例えば燃料カット移行制御ルーチンの前回実行時に検出された通路吸気量よりも同ルーチンの今回実行時に検出された通路吸気量が少ないことによって判定することができる。また、通路吸気量が検出される度に同通路吸気量を徐々に変化させた値（いわゆるなまし値）を算出し、その前回算出値より今回算出値より少ないことによって判定することなども可能である。
【００７７】
・上記実施の形態では、上式（９）から推定切換トルクTQconを、すなわち駆動状態から被駆動状態に切り換わる時の機関トルクを求めていたが、その切り換わる時の機関トルクを十分な精度で求められるのであれば、それ以外の算出ロジックを用いてその算出を行うようにしてもよい。
【００７８】
・上記実施の形態では、アクセル操作量が「０」かつ機関回転速度が一定値以上であることを燃料カットの実施条件としていたが、この実施条件は、これに限らず、適宜に変更してもよい。
【００７９】
・上記実施の形態では、駆動状態から被駆動状態に切り換わる時の機関トルクを推定し、その推定結果からトルク漸減制御の第２段階、第４段階の出力トルクの漸減速度を求めていた。上記切り換わる時の機関トルクが予め判っている場合には、トルク漸減制御の第２段階、第４段階の機関トルクの漸減速度を予め定めておくようにしてもよい。その場合でも、トルク漸減制御の第２段階及び第４段階が、動力伝達系の回転軸ねじり方向の振動についての固有周期ｆの整数倍の時間をかけてそれぞれ行われるようになっていれば、車両のしゃくりの発生を効果的に抑制することが可能である。
【００８０】
・上記実施の形態では、点火時期の遅角量を変化させることで機関トルクの漸減を行うようにしていた。こうした機関トルクの漸減を、他の方法で行うようにしてもよい。例えば、燃料カット移行時の機関トルクの漸減を、内燃機関１の吸入空気量を漸減することで行うことも可能である。また、ディーゼル機関のような燃料噴射量の制御により機関出力を調整する内燃機関では、燃料噴射量を漸減することで、燃料カット移行時の機関トルクの漸減を行うことができる。
【００８１】
・駆動状態から被駆動状態に切り換わる時の機関トルクを正確に求められるのであれば、トルク漸減制御の第３段階における機関トルクの漸減速度を「０」とするように、すなわちこのときの機関トルクを一定に保持するようにしても良い。この場合にも、このときの機関トルクの保持時間が、駆動状態から被駆動状態への切り換わりに要する時間以上となっていれば、リダクションギアの歯打ちによるショックの発生を効果的に抑制することが可能である。
【００８２】
・上記実施の形態では、漸減終了時の機関トルクTQfinを、内燃機関１の運転を持続可能な限界まで点火時期を遅角したときの機関トルクとしていたが、その値は適宜変更してもよい。機関トルクが「０」となるまで、その漸減を実行することが可能であれば、機関トルクが「０」となった時点で漸減の実行を終了するようにしてもよい。また、限界まで点火時期を遅角する以前であっても、燃料供給の停止に伴うトルク段差がショックを生じさせない程度まで機関トルクが低下した時点で、機関トルクの漸減の実行を終了するようにしてもよい。
【００８３】
・駆動状態から被駆動状態に切り換わる時のリダクションギアの歯打ちによるショックが問題とならない場合には、トルク漸減制御の第３段階を割愛し、第２段階、第４段階を連続して行うようにしても良い。この場合であれ、トルク漸減制御の第２段階及び第４段階が、動力伝達系の回転軸ねじり方向の振動についての固有周期ｆの整数倍の時間をかけてそれぞれ行われるようになっていれば、車両のしゃくりの発生を効果的に抑制することが可能である。
【００８４】
・上記実施の形態では、無段変速機の手前にリダクションギアが設けられたインプットリダクンション方式のギアトレーン構造を採用する車両に本発明を適用した場合を説明したが、無段変速機の駆動輪側にリダクションギアが設けられた車両にも、本発明は同様に適用することができる。また、ベルト式以外の無段変速機や自動又は手動の有段変速機を変速機として採用する車両にも、本発明は同様に適用することができる。
【符号の説明】
【００８５】
１…内燃機関、１ａ…補機、２…クランクシャフト、３…トルクコンバーター、４…リダクションギア（Ｇｅ…ドライブギア、Ｇｔ…ドリブンギア）、５…無段変速機（６…ドライブプーリー、７…ドリブンプーリー、８…ベルト）、９…Ｄｅｆドライブギア、１０…Ｄｅｆリングギア、１１…駆動輪、１２…ドライブシャフト、１３…ディファレンシャル、１４…アクセルペダル、２０…気筒、２１…吸気通路、２２…燃料噴射弁、２３…点火プラグ、２４…ピストン、２５…排気通路、２６…吸気バルブ、２７…バルブタイミング変更機構、２８…スロットルバルブ、３０…エアフロメータ、３１…回転速度センサ、３２…位置センサ、３３…アクセルセンサ、３４…速度センサ、３５…電子制御ユニット。
【図１】
2014058953.tif 000010
【図２】
2014058953.tif 000011
【図３】
2014058953.tif 000012
【図４】
2014058953.tif 000013
【図５】
2014058953.tif 000014
【図６】
2014058953.tif 000015
【図７】
2014058953.tif 000016
【図８】
2014058953.tif 000017
【図９】
2014058953.tif 000018